(57)【要約】【課題】定着処理によってシートから発生する水蒸気による定着装置周辺の結露や外部への水蒸気の放出を効果的に抑制するとともに、定着装置周辺の搬送路の冷却やシートの安定した搬送も実現可能な画像形成装置を提供する。【解決手段】画像形成装置は、画像形成部と、定着装置と、シート搬送路と、搬送ユニットと、を備える。定着装置は、シート搬送方向に対し画像形成部の下流側に配置され、シートを加熱及び加圧することによりシート上に担持された未定着トナーを定着する。シート搬送路は、定着装置を通過したシートをシート排出口に案内する。搬送ユニットは、シート搬送路の一対のシート搬送面の一方を構成する。搬送ユニットは、シート搬送路に連通する空気導入穴と、該空気導入穴に対向して配置され、空気導入穴から空気を吸引して搬送ユニット内に排気する冷却ファンと、を有する。【選択図】図９
2016061823.tif 000002
【特許請求の範囲】
【請求項１】
シート上にトナー像を形成する画像形成部と、
シート搬送方向に対し前記画像形成部の下流側に配置され、シートを加熱及び加圧することによりシート上に担持された未定着トナーを定着する定着装置と、
該定着装置を通過したシートをシート排出口に案内するシート搬送路と、
該シート搬送路の一対のシート搬送面のうち一方を構成する搬送ユニットと、
を備えた画像形成装置において、
前記搬送ユニットは、前記シート搬送路に連通する空気導入穴と、該空気導入穴に対向して配置され、前記空気導入穴から空気を吸引して前記搬送ユニット内に排気する冷却ファンと、を有することを特徴とする画像形成装置。
【請求項２】
前記搬送ユニットは、画像形成装置の本体側面に開閉可能に支持され、一対の前記シート搬送面のうち、片面印字時、或いは両面印字時の最初に印字が行われるシートの第１面と反対側である第２面を案内する第１シート搬送面を構成することを特徴とする請求項１に記載の画像形成装置。
【請求項３】
前記空気導入穴は、前記シート搬送路の湾曲部の内コーナー側の搬送面に対向する位置に形成されることを特徴とする請求項２に記載の画像形成装置。
【請求項４】
前記湾曲部から分岐し、シートの前記第１面と前記第２面とを反転させて前記画像形成部に搬送する反転搬送路を備え、
前記搬送ユニットは、前記反転搬送路の一対の反転搬送面のうち、前記第２面を案内する第１反転搬送面を構成することを特徴とする請求項１乃至請求項３のいずれかに記載の画像形成装置。
【請求項５】
前記冷却ファンは、半径方向に延びる複数の羽根が回転することによって、吸気口から吸い込んだ空気を外周部に設けた吹き出し口から外周縁に沿って吹き出すシロッコファンであることを特徴とする請求項１乃至請求項４のいずれかに記載の画像形成装置。
【請求項６】
前記シロッコファンは、シート搬送方向と直交する方向に、前記吹き出し口が互いに対向するように一対配置されることを特徴とする請求項５に記載の画像形成装置。
【請求項７】
シート上にトナー像を形成する画像形成部と、
シート搬送方向に対し前記画像形成部の下流側に配置され、シートを加熱及び加圧することによりシート上に担持された未定着トナーを定着する定着装置と、
該定着装置を通過したシートをシート排出口に案内するシート搬送路と、
該シート搬送路の一対のシート搬送面のうち一方を構成する搬送ユニットと、
該搬送ユニットの内側に配置され、前記シート搬送路から空気を吸引して前記搬送ユニット内に排気する冷却ファンと、
を備えた画像形成装置に用いられる搬送ガイドであって、
前記搬送ユニットに装着されて前記一方のシート搬送面を構成するとともに、前記シート搬送路と前記搬送ユニットの内側とを連通する空気導入穴が形成されることを特徴とする搬送ガイド。
【発明の詳細な説明】
【技術分野】
【０００１】
本発明は、電子写真方式を利用した複写機、プリンター、ファクシミリ、それらの複合機等の定着装置を備えた画像形成装置、及び画像形成装置に装着されてシート状の記録媒体を案内する搬送ガイドに関するものである。
【背景技術】
【０００２】
電子写真方式を用いた画像形成装置では、感光体ドラム等の像担持体上に形成した静電潜像にトナーを付与してトナー像を形成し、トナー像を用紙等のシート状の記録媒体に転写した後、定着装置（定着部）によって用紙上のトナー像を定着させている。
【０００３】
定着装置によって用紙にトナー像を定着させる際、通常は用紙を加熱、加圧してトナーを溶融させる。そのため、定着装置にはヒーター等の熱源が配置される。ここで、定着装置からの放熱により定着装置周辺の搬送路や排出部が高温になると、トナーの融着等の不具合が発生する。
【０００４】
また、用紙が吸湿している場合は、定着装置で加熱された用紙から水蒸気が発生し、搬送方向に対し定着装置の下流側（上方）の搬送路に結露することがある。その結果、後続の用紙が結露によって濡れてしまい、シワが発生するおそれがあった。また、両面印字を行う場合は、転写部に再搬送され用紙の濡れた部分にトナーが転写されず、画像抜けが発生するおそれがあった。
【０００５】
そこで、特許文献１には、定着部から排紙部に至る用紙搬送路の上方にファンを設け、さらに定着部から用紙搬送路を通過してファンに達する気流、及び排紙口から用紙搬送路を通過してファンに達する気流を通風するダクトを設けることにより、定着時に発生する水分を除去して用紙搬送路周辺に結露した水滴による用紙の濡れを防止する方法が開示されている。
【０００６】
一方、水分を多く含んだ用紙が定着装置によって加熱されると水蒸気が発生し、発生した水蒸気が湯気となって画像形成装置外部に放出されると、ユーザーが発煙と見誤ってしまうおそれがある。そこで、特許文献２には、用紙排出部から排出される用紙の側面に冷却風を当てて用紙の表面及び裏面を冷却することにより、排出される用紙からの湯気の発生を防止する方法が開示されている。
【先行技術文献】
【特許文献】
【０００７】
【特許文献１】特開平７−１６０１７９号公報
【特許文献２】特開２０１１−２５７５００号公報
【発明の概要】
【発明が解決しようとする課題】
【０００８】
しかし、特許文献１の構成では、吸湿した用紙を通紙すると、用紙排出口から水蒸気が湯気となって装置外部に放出されるため、発生する水蒸気量が大量になるとユーザーが発煙と見誤ってしまうおそれがあった。また、特許文献２の構成では、装置外部に放出される水蒸気量が少ない場合はファンからの冷却風によって水蒸気が拡散されるため、視認され難くなるが、水蒸気量が多い場合は冷却風によって冷やされた水蒸気が湯気となって視認され易くなり、かえって発煙と見誤ってしまうという問題点があった。
【０００９】
本発明は、上記問題点に鑑み、定着処理によってシートから発生する水蒸気による定着装置周辺の結露や外部への水蒸気の放出を効果的に抑制するとともに、定着装置周辺の搬送路の冷却やシートの安定した搬送も実現可能な画像形成装置を提供することを目的とする。
【課題を解決するための手段】
【００１０】
上記目的を達成するために本発明の第１の構成は、画像形成部と、定着装置と、シート搬送路と、搬送ユニットと、を備えた画像形成装置である。画像形成部は、シート上にトナー像を形成する。定着装置は、シート搬送方向に対し画像形成部の下流側に配置され、シートを加熱及び加圧することによりシート上に担持された未定着トナーを定着する。シート搬送路は、定着装置を通過したシートをシート排出口に案内する。搬送ユニットは、シート搬送路の一対のシート搬送面の一方を構成する。搬送ユニットは、シート搬送路に連通する空気導入穴と、該空気導入穴に対向して配置され、空気導入穴から空気を吸引して搬送ユニット内に排気する冷却ファンと、を有する。
【発明の効果】
【００１１】
本発明の第１の構成によれば、シートから放出された熱気や水蒸気が、冷却ファンによって搬送ユニットに形成された空気導入穴から吸引され、搬送ユニット内で排気される。従って、シートから放出された水蒸気が湯気となって立ち上り、ユーザーが発煙と見誤るおそれがなくなる。また、水蒸気が搬送ガイドや搬送面に結露することによる水滴の発生も抑制することができる。また、冷却ファンの空気流によってシート自体が冷却されるとともに、シートからの放熱により暖められた空気も搬送ユニット内に吸引される。その結果、搬送ガイドやシート搬送面の温度上昇を抑制することができ、搬送ガイドやシート搬送面へのトナーの融着を抑制することができる。さらに、搬送ユニットの空気導入穴から冷却ファンによって空気が吸引されるため、シートは搬送ユニット側に引き寄せられた状態で搬送されることになる。その結果、シートを搬送ユニット側のシート搬送面に沿って安定して搬送することができる。
【図面の簡単な説明】
【００１２】
【図１】本発明の一実施形態に係る画像形成装置１００の内部構造を示す側面断面図
【図２】本発明の画像形成装置１００を後側から見た外観斜視図
【図３】図１における後カバーユニット４０周辺の部分断面図
【図４】後カバーユニット４０を開放した状態を示す画像形成装置１００の側面断面図
【図５】後カバーユニット４０を開放した状態を示す画像形成装置１００の外観斜視図
【図６】後カバーユニット４０を内側から見た斜視図
【図７】後カバーユニット４０から搬送ガイド４１を取り外した状態を示す斜視図
【図８】後カバーユニット４０内に配置される冷却ファン５０ａ、５０ｂの斜視図
【図９】片面印字中における後カバーユニット４０付近の側面断面図
【図１０】両面印字中における後カバーユニット４０付近の側面断面図
【発明を実施するための形態】
【００１３】
以下、図面を参照しながら本発明の実施形態について説明する。図１は、本発明の一実施形態に係る画像形成装置１００の内部構造を示す側面断面図、図２は、画像形成装置１００を後側（図１の右側）から見た外観斜視図、図３は、図１における後カバーユニット４０周辺の部分断面図、図４は、後カバーユニット４０を開放した状態を示す画像形成装置１００の側面断面図、図５は、後カバーユニット４０を開放した状態を示す画像形成装置１００の外観斜視図である。
【００１４】
図１に示すように、画像形成装置（例えばモノクロプリンター）１００内には、帯電、露光、現像及び転写の各工程によりモノクロ画像を形成する画像形成部Ｐが配設されている。画像形成部Ｐには、感光体ドラム５の回転方向（図１の時計回り方向）に沿って、帯電ユニット４、露光ユニット（レーザー走査ユニット等）７、現像ユニット８、転写ローラー１４、クリーニング装置１９、及び除電装置（図示せず）が配設されている。
【００１５】
画像形成動作を行う場合、帯電ユニット４により時計回り方向に回転する感光体ドラム５が一様に帯電され、原稿画像データに基づく露光ユニット７からのレーザービームにより感光体ドラム５上に静電潜像が形成され、現像ユニット８により静電潜像に現像剤（以下、トナーという）が付着されてトナー像が形成される。
【００１６】
この現像ユニット８へのトナーの供給はトナーコンテナ９から行われる。なお、画像データはパーソナルコンピューター（図示せず）等から送信される。また、感光体ドラム５の表面の残留電荷を除去する除電装置（図示せず）がクリーニング装置１９の下流側に設けられている。
【００１７】
上記のようにトナー像が形成された感光体ドラム５に向けて、用紙が給紙カセット１０から用紙搬送路１２及びレジストローラー対１３を経由して搬送され、転写ローラー１４（画像転写部）により感光体ドラム５の表面に形成されたトナー像が用紙に転写される。トナー像が転写された用紙は感光体ドラム５から分離され、定着装置１５に搬送されてトナー像が定着される。
【００１８】
また、用紙搬送路１６の湾曲部２０には分岐ガイド２２が設けられており、画像形成装置１００の後側面（図１の右側面）には湾曲部２０に連通する第２用紙排出口３１が設けられている。分岐ガイド２２は、定着装置１５を通過してトナー像が定着された用紙の排出先を、第１用紙排出口３０と第２用紙排出口３１とに振り分ける。
【００１９】
定着装置１５及び搬送ローラー対２３を通過した用紙は、用紙搬送路１６により画像形成装置１００の上部に搬送され、用紙の片面のみに画像を形成する場合（片面印字時）は、搬送ローラー対２４、第１排出ローラー対１７ａを介して第１用紙排出口３０から排出トレイ１８に排出される。或いは、第２排出ローラー対１７ｂを介して第２用紙排出口３１から排出される。
【００２０】
一方、用紙の両面に画像を形成する場合（両面印字時）は、用紙の後端が用紙搬送路１６の湾曲部２０を通過した後に搬送ローラー対２４、第１排出ローラー対１７ａを逆回転させて搬送方向を反転させる。これにより、用紙は湾曲部２０から分岐する反転搬送路２１に振り分けられ、画像面を反転させた状態でレジストローラー対１３に再搬送される。そして、感光体ドラム５上に形成された次のトナー像が、転写ローラー１４によって用紙の画像が形成されていない面に転写される。トナー像が転写された用紙は、定着装置１５に搬送されてトナー像が定着された後、搬送ローラー対２４、第１排出ローラー対１７ａを介して第１用紙排出口３０から排出トレイ１８に排出される。或いは、第２排出ローラー対１７ｂを介して第２用紙排出口３１から排出される。
【００２１】
後カバーユニット４０は、下端部の回動支点４０ａを中心に画像形成装置１００本体の後側面１００ａに開閉可能に支持されている。後カバーユニット４０には、分岐ガイド２２、搬送ローラー対２４を構成する片側のローラー２４ａ、搬送ローラー対２５を構成する片側のローラー２５ａ、及び第２搬出ローラー対３１が支持されており、用紙搬送路１６の片側（外側）の用紙搬送面１６ａを構成する。図４及び図５のように後カバーユニット４０を開放することで用紙搬送路１６が開放され、用紙搬送路１６内のジャム（紙詰まり）処理が可能となっている。また、後カバーユニット４０内には冷却ファン５０ａ、５０ｂが配置されている。
【００２２】
図６は、後カバーユニット４０を内側から見た斜視図、図７は、後カバーユニット４０から搬送ガイド４１を取り外した状態を示す斜視図、図８は、後カバーユニット４０内に配置される冷却ファン５０ａ、５０ｂの斜視図である。
【００２３】
図６に示すように、後カバーユニット４０の用紙搬送面１６ａの上端近傍には搬送ローラー対２４を構成するローラー２４ａが支持されている。また、用紙搬送面１６ａの中央から下端部には搬送ガイド４１が装着されており、搬送ガイド４１には搬送ローラー対２５を構成するローラー２５ａが支持されている。搬送ガイド４１の用紙搬送方向と直交する幅方向（図６の左右方向）の２箇所には、ローラー２５ａを上下から挟むように空気導入穴４１ａが形成されている。
【００２４】
図７に示すように、搬送ガイド４１の内側には左右の空気導入穴４１ａに対向する位置に、冷却ファン５０ａ、５０ｂが配置されている。図８に示すように、冷却ファン５０ａ、５０ｂは、その半径方向に延びる複数の羽根（図示せず）が回転することによって、中央の吸気口５１から吸い込んだ空気を外周部に設けた吹き出し口５３から外周縁に沿って吹き出すシロッコファンである。冷却ファン５０ａ、５０ｂは、同一の構成のシロッコファンが用いられ、互いの吹き出し口５３が対向するように、搬送ユニット４１に互いに非対称に配置されている。従って、冷却ファン５０ａ、５０ｂの羽根が回転すると、搬送ユニット４１の空気導入穴４１ａから吸い込んだ空気流を搬送ユニット４１内に吹き出すことになる。
【００２５】
図９は、片面印字中における後カバーユニット４０付近の側面断面図である。定着装置１５においてトナー像が定着された用紙Ｓは、湾曲部２０を通過して上方へ搬送される。ここで、用紙Ｓは定着ローラー対を通過することで加熱されており、用紙Ｓが吸湿している場合は加熱された用紙Ｓから水蒸気が発生する。
【００２６】
本実施形態では、用紙Ｓから放出された熱気や水蒸気が、冷却ファン５０ａ、５０ｂによって搬送ガイド４１に形成された空気導入穴４１ａから吸引され、後カバーユニット４０の内部に排気される。後カバーユニット４０と搬送ガイド４１とで囲まれた空間は、概ね密閉された空間となっており、冷却ファン５０ａ、５０ｂの吹き出し口５３から排気された空気は画像形成装置１００の外部に放出されない。従って、用紙Ｓから放出された水蒸気が湯気となって立ち上り、ユーザーが発煙と見誤るおそれがなくなる。また、水蒸気が分岐ガイド２２や用紙搬送路１６に結露することによる水滴の発生も抑制することができる。
【００２７】
また、冷却ファン５０ａ、５０ｂの空気流によって用紙Ｓ自体が冷却されるとともに、用紙Ｓからの放熱により暖められた空気も後カバーユニット４０内に吸引される。その結果、分岐ガイド２２や用紙搬送路１６の温度上昇を抑制することができ、分岐ガイド２２や用紙搬送路１６へのトナーの融着を抑制することができる。
【００２８】
さらに、搬送ガイド４１の空気導入穴４１ａから冷却ファン５０ａ、５０ｂによって空気が吸引されることによって、用紙Ｓは後カバーユニット４０の搬送ガイド４１側（用紙搬送面１６ａ側）に引き寄せられた状態で搬送されることになる。その結果、用紙Ｓの印字面Ｓ１（第１面）と反対側の面（第２面）を用紙搬送面１６ａに沿って安定して搬送することができる。また、用紙Ｓの印字面Ｓ１が用紙搬送路１６の内側（図９の左側）の用紙搬送面１６ｂに擦られるおそれがなくなる。従って、印字面Ｓ１を保護するとともに、後カバーユニット４０に対向する湾曲部２０の内コーナー面２０ａへのトナーの付着も防止することができる。
【００２９】
図１０は、両面印字中における後カバーユニット４０付近の側面断面図である。用紙Ｓの後端が用紙搬送路１６の湾曲部２０を通過した後に搬送ローラー対２４、第１排出ローラー対１７ａ（図３参照）を逆回転させて搬送方向を反転させることにより、用紙Ｓは湾曲部２０から分岐する反転搬送路２１に振り分けられる。
【００３０】
このとき、片面印字中と同様に、搬送ガイド４１の空気導入穴４１ａから冷却ファン５０ａ、５０ｂによって空気が吸引されることによって、用紙Ｓは後カバーユニット４０の搬送ガイド４１側（用紙搬送面１６ａ側）に引き寄せられた状態で搬送される。従って、用紙Ｓを反転搬送路２１の外側（図１０の右側）の反転搬送面２１ａに沿って安定して搬送することができる。また、用紙Ｓの印字面Ｓ１（第１面）が反転搬送路２１の内側（図１０の左側）の反転搬送面２１ｂに擦られるおそれがなくなり、印字面Ｓ１を保護するとともに、反転搬送面２１ｂへのトナーの付着も防止することができる。
【００３１】
その他本発明は、上記実施形態に限定されず、本発明の趣旨を逸脱しない範囲で種々の変更が可能である。例えば、上記実施形態では、冷却ファン５０ａ、５０ｂとしてシロッコファンを用いる構成を示したが、これに限らず、シロッコファンに代えてプロペラファンを用いて後カバーユニット４０内に空気を吸引するようにしてもよい。この場合も上記実施形態と同様の効果を奏する。また、冷却ファン５０ａ、５０ｂの配置及び個数も上記実施形態に限らず、１個または３個以上を配置することもできる。
【００３２】
また、本発明は図１に示したようなモノクロプリンターに限らず、カラープリンター、モノクロ及びカラー複写機、デジタル複合機、或いはファクシミリ等、他のタイプの画像形成装置にも適用できるのはもちろんである。
【産業上の利用可能性】
【００３３】
本発明は、定着装置を備えた画像形成装置に利用可能である。本発明の利用により、定着処理によって記録媒体から発生する水蒸気による定着装置周辺の結露や外部への水蒸気の放出を効果的に抑制するとともに、定着装置周辺の搬送路の冷却や記録媒体の安定した搬送、印字面の保護も実現可能な画像形成装置を提供することができる。
【符号の説明】
【００３４】
１５                定着装置
１６                用紙搬送路（シート搬送路）
１６ａ              用紙搬送面（第１シート搬送面）
１６ｂ              用紙搬送面
１７ａ              第１排出ローラー対
１７ａ              第２排出ローラー対
１８                排出トレイ
２０                湾曲部
２０ａ              内コーナー面
２１                反転搬送路
２１ａ              反転搬送面（第１反転搬送面）
２１ａ              反転搬送面
２２                分岐ガイド
２３〜２５          搬送ローラー対
３０                第１用紙排出口（シート排出口）
３１                第２用紙排出口（シート排出口）
４０                後カバーユニット（搬送ユニット）
４１                搬送ガイド
４１ａ              空気導入穴
５０ａ、５０ｂ      冷却ファン
５１                吸気口
５３                吹き出し口
１００              画像形成装置
Ｐ                  画像形成部
【図１】
2016061823.tif 000003
【図２】
2016061823.tif 000004
【図３】
2016061823.tif 000005
【図４】
2016061823.tif 000006
【図５】
2016061823.tif 000007
【図６】
2016061823.tif 000008
【図７】
2016061823.tif 000009
【図８】
2016061823.tif 000010
【図９】
2016061823.tif 000011
【図１０】
2016061823.tif 000012